【手続補正書】
【提出日】平成17年10月25日(2005.10.25)
【手続補正１】
【補正対象書類名】明細書
【補正対象項目名】全文
【補正方法】変更
【補正の内容】
【書類名】            明細書
【発明の名称】        沐浴シート
【特許請求の範囲】
【請求項１】  ゴムシートからなるシート本体の周縁部に、上記シート本体がシンクの凹部および凹部周辺を覆うようシンクの凹部周辺に着脱可能に係止される複数の係止部材が設けられ、上記シート本体がシンクの凹部および凹部周辺に敷設されることによって上記シート本体によって形成された凹部内に湯水を貯留させるようにしたことを特徴とする沐浴シート。
【発明の詳細な説明】
【０００１】
【発明の属する技術分野】
本発明は、乳児を沐浴させる際に用いる沐浴シートに関するものである。
【０００２】
【従来の技術】
従来から、生後すぐの乳児を沐浴させる場合には、図８に示すような、プラスチック等が成形されてなり、上面に乳児ひとりがちょうど入る程度の凹部２１が形成された沐浴用桶２０が用いられている。この沐浴用桶２０を用いて乳児を沐浴させる場合には、凹部２１に湯水を汲み置き、この湯水を溜めた沐浴用桶２０を風呂場等の床に置き、沐浴用桶２０内の湯水に乳児を浸けて乳児の身体を洗い、沐浴させることが行われる。
【０００３】
【発明が解決しようとする課題】
しかしながら、上記沐浴用桶２０では、湯水を沐浴用桶２０に汲み入れる際には、手桶等で湯水を汲み入れたり、蛇口にホースをつないで湯水を注入したりする必要がある。また、沐浴が終わった後の湯水を捨てる際には、湯水の入った重い沐浴用桶２０を傾ける等の作業が必要である。このような作業には大きな力を要し、特に産後の女性にとっては大変である。また、沐浴用桶２０を床面に直接置いて乳児を抱きかかえながら沐浴させるため、乳児を洗うときの姿勢が前かがみになり、腰や背中に負担がかかり、作業が極めて大変である。しかも、プラスチックの成形品であるため、保管の際に広い収納場所が必要であるうえ、沐浴用桶２０を使用するのは生後１ヶ月から１ヶ月半程度の短期間であることから、第一子で使用されなくなってから第二子で使用するまで保管するのは、その間収納場所をとられ、極めて不便である。
【０００４】
本発明は、このような事情に鑑みなされたもので、乳児を沐浴させる作業が楽になり、しかも保管場所をとらない沐浴シートの提供をその目的とする。
【０００５】
【課題を解決するための手段】
上記の目的を達成するため、本発明の沐浴シートは、ゴムシートからなるシート本体の周縁部に、上記シート本体がシンクの凹部および凹部周辺を覆うようシンクの凹部周辺に着脱可能に係止される複数の係止部材が設けられ、上記シート本体がシンクの凹部および凹部周辺に敷設されることによって上記シート本体によって形成された凹部内に湯水を貯留させるようにしたことを要旨とする。
【０００６】
すなわち、本発明の沐浴シートは、シート本体の周辺部にシンクの凹部周辺に係止される係止部材が設けられ、このシート本体がシンクの凹部に沿って敷設されることにより、上記シート本体によって形成された凹部内に湯水を貯留させるようにしている。このため、湯水を汲み入れる際には、シンクに給水等する備え付けの給水口や給湯口から湯水を供給し、シート本体によって形成された凹部内に湯水を貯留させればよい。そして、上記凹部内の湯水に乳児を浸けて身体を洗い沐浴させることが行われる。このように、洗面や髭剃り等に使用された不潔な状態のシンクの凹部に直接湯水を溜めて沐浴させるのではなく、シート本体に形成された凹部に湯水を溜めて沐浴させることから、清潔で、抵抗力の弱い乳児に良い。また、沐浴させる高さが最適になり沐浴させる作業は立ったままできることから、作業の際の姿勢もそれほど前かがみにならずにすみ、従来に比べて格段に楽になる。また、排水の際には、シートの端をめくって湯水をシンク内に捨てればよく、従来のように湯水の入った重い桶を傾けるような作業が不要で、作業が極めて楽になる。しかも、使用し終わったら、シートを折りたたんで収納すればよいことから、保管の際の収納スペースをとらない。また、シート本体がゴムからなるため、シート本体自体が柔軟で伸縮性に富み、シンクの凹部の形状に沿い、沐浴スペースが不必要に狭くならない。また、乳児の肌を傷つけることもない。
【０００７】
【発明の実施の形態】
つぎに、本発明の実施の形態を詳しく説明する。
【０００８】
図１および図２は、本発明の沐浴シートの一実施の形態を示す。この沐浴シートは、略長方形に形成されたゴム製のシート本体１の四隅および奥側（図１における上側）の一辺の２個所に吸盤（係止部材）２が取り付けられて構成されている。
【０００９】
上記シート本体１を形成するゴム材料としては、特に限定するものではなく、各種のゴム材料が用いられる。例えば、天然ゴム，ポリイソブレンゴム，ポリブタジエンゴム，アルフィンゴム，スチレンブタジエンゴム，ハイスチレンゴム，エチレン−プロピレンゴム，クロロスルホン化ポリエチレンゴム，ブチルゴム，クロロプレンゴム，アクリロニトリルブタジエンゴム，多硫化系ゴム，アクリルゴム，けい素ゴム，フッ素ゴム，シリコーンゴム，エビクロロヒドリンゴム，ウレタンゴム等各種のものがあげられる。これらのなかでも、特に、安価で入手しやすく、柔軟性・伸縮性に優れ、しかも外科手術用手袋等にも用いられて安全性にも優れていることから、天然ゴムが最適である。
【００１０】
上記シート本体１の略中央部には、栓３が設けられている。この栓３は、図３に示すように、シート本体１に穿設された穴４に液密状に内嵌する環状枠５と、この環状枠５の穴８に着脱可能に嵌合する栓本体６とからなっている。上記環状枠５と栓本体６とは、紐状部材７でつなげられており、栓本体６だけが失われるのが防止される。また、上記環状枠５の下端面は、シート本体１の下面よりも下側に突出し、シート本体１下面との間に段差が形成されている。
【００１１】
上記シート本体１の角部は、図４に示すように、角の二等辺三角形部分９が折り返され、この折り返し部にコード挿通穴１０が穿設されるとともに、上記折り返し部に、上記コード挿通穴１０に対応する挿通穴１１が穿設された補強板１２が挟まれ、接着剤等で接着されている。そして、シート本体１の四隅のコード挿通穴１０にコード１３が挿通され、このコード１３の先端部にそれぞれ吸盤２が取り付けられている（図１参照）。上記コード１３の長さは、奥側の２箇所よりも手前側（図１において下側）の２箇所のものの方が長く設定されている。また、上記シート本体１には、その下面に、奥側の一辺に沿って２個の吸盤２が取り付けられている。
【００１２】
上記沐浴シートは、例えば、つぎのようにして使用することができる。まず、図５に示すように、シート本体１の奥側の２箇所の角部に取り付けられた吸盤２および奥側の一辺に沿って取り付けられた吸盤２を、洗面台１４のシンク凹部１８に沿って吸着させる。ついで、シート本体１をシンク凹部１８に沿って敷設し、シート本体１によって凹部１９を形成する。つぎに、シート本体１の手前側の２箇所の角部に取り付けられた吸盤２を洗面台１４の前面に吸着させるとともに、手前側の一辺を洗面台１４の前面に垂らす。
【００１３】
この状態で、洗面台１４に備え付けの給湯口や給水口（図示せず）から湯水を供給し、シート本体１によって形成された凹部に、湯水を溜める。このように、洗面台１４の給水口や給湯口から湯水を供給して溜めればよいため、作業が極めて楽である。そして、上記凹部１９に溜められた湯水に乳児を浸けて身体を洗い、沐浴させることが行われる。このとき、シート本体１がゴムからなるため、シート本体１が柔軟で伸縮性に富み、シンク凹部１８の形状に沿い、沐浴スペースが不必要に狭くならないうえ、乳児の肌を傷つけることもない。また、沐浴させる作業は立ったままできることから、作業の際の姿勢もさほど前かがみにならずにすむ。
【００１４】
沐浴が終了したのち、栓３の栓本体６を抜いて、環状枠５の穴８から湯水を排出する。このとき、上記環状枠５の下端面とシート本体１下面とのに段差が形成されていることから、環状枠５の穴８から湯水が排出されるときに、湯水がスムーズにシート本体１の下側に排出される。また、排水の際には、シート本体１の手前側の２箇所の吸盤２を取りはずし、シート本体１の手前側の一辺を水中に埋没させて一気に湯水をシンク凹部１８内に捨てるようにしてもよい。このように、シート本体１の略中央部に栓３が設けられているため、使用後は栓を抜いて排水すればよく、使い終わった湯水を捨てる作業も非常に楽で、極めて使い勝手がよい。そして、排水が終了したのちは、シート本体１を折りたたみ、コンパクトにして収納すればよい。
【００１５】
このように、上記沐浴シートでは、湯水を汲み入れる際には、洗面台１４の給湯口や給水口１５から湯水を供給してシート本体１によって形成された凹部１９内に湯水を貯留させ、その湯水に乳児を浸けて沐浴させればよい。このように、洗面や髭剃り等に使用された不潔な状態のシンク凹部１８に直接湯水を溜めて沐浴させるのではなく、シート本体１に形成された凹部１９に湯水を溜めて沐浴させることから、清潔で、抵抗力の弱い乳児に良い。そして、沐浴させる作業は立ったままできることから、作業の際の姿勢もさほど前かがみにならずにすみ、従来に比べて格段に楽になる。また、排水の際も、従来のように湯水の入った重い桶を傾けるような作業が不要で、作業が極めて楽になる。しかも、使用し終わったら、シート本体１を折りたたんで収納すればよいことから、保管の際の収納スペースをとらないうえ、安価である。
【００１６】
図６および図７は、本発明の沐浴シートの第２の実施の形態を示す。このものは、栓３の環状枠５の下面に放射状の排水溝１６が形成されている。それ以外は、図１〜図３に示すものと同様であり、同様の部分には同じ符号を付している。このものでは、栓本体６を抜いて排水する際に、上記排水溝１６からスムーズに湯水が排出される。それ以外は、図１〜図３に示すものと同様の作用効果を奏する。
【００１７】
また、上記各実施の形態では、係止部材として吸盤２を使用したが、これに限定するものではなく、フック，クリップ，マグネット，両面テープ，粘着シート，粘着剤，マジックテープ（商標）等、洗面台１４や流し台のシンクの周囲にシート本体１の周辺部を一時的に固定しうるものであれば何を用いてもよい。さらに、上記各実施の形態では、栓３をシート本体１の中央に設けたが、これに限定するものではなく、前後左右に少しずれた位置でもよい。
【００１８】
また、上記各実施の形態では、シート本体１を長方形に形成した例を示したが、これに限定するものではなく、楕円形，円形，正方形その他多角形等、各種の形状に形成することができる。また、上記各実施の形態では、シート本体１の四隅に二等辺三角形の折り曲げ部を形成させて補強するようにしたが、これに限定するものではなく、ゴムシート片や補強版１２を接着剤等で貼り付けたり、熱融着させる等してもよい。さらに、この補強部分の形状も二等辺三角形に限定するものではなく、円形や四角形等各種の形状にすることができる。
【００１９】
【発明の効果】
以上のように、本発明の沐浴シートによれば、湯水を汲み入れる際には、シンクに給水等する備え付けの給水口や給湯口から湯水を供給し、シート本体によって形成された凹部内に湯水を貯留させればよい。そして、上記凹部内の湯水に乳児を浸けて身体を洗い沐浴させることが行われる。このように、洗面や髭剃り等に使用された不潔な状態のシンクの凹部に直接湯水を溜めて沐浴させるのではなく、シート本体に形成された凹部に湯水を溜めて沐浴させることから、清潔で、抵抗力の弱い乳児に良い。また、沐浴させる高さが最適になり沐浴させる作業は立ったままできることから、作業の際の姿勢もそれほど前かがみにならずにすみ、従来に比べて格段に楽になる。また、排水の際には、シートの端をめくって湯水をシンク内に捨てればよく、従来のように湯水の入った重い桶を傾けるような作業が不要で、作業が極めて楽になる。しかも、使用し終わったら、シートを折りたたんで収納すればよいことから、保管の際の収納スペースをとらない。また、シート本体がゴムからなるため、シート本体自体が柔軟で伸縮性に富み、シンクの凹部の形状に沿い、沐浴スペースが不必要に狭くならない。また、乳児の肌を傷つけることもない。
【図面の簡単な説明】
【図１】
本発明の沐浴シートの一実施の形態を示す平面図である。
【図２】
上記沐浴シートを示す底面図である。
【図３】
上記沐浴シートを示す一部破断Ａ−Ａ断面図である。
【図４】
上記沐浴シートの角部を示す分解斜視図である。
【図５】
上記沐浴シートの使用状態を示す斜視図である。
【図６】
本発明の沐浴シートの第２の実施の形態を示す平面図である。
【図７】
上記沐浴シートを示す一部破断Ｂ−Ｂ断面図である。
【図８】
従来の沐浴用桶を示す斜視図である。
【符号の説明】
１  シート本体
２  吸盤
１８  シンク凹部
１９  凹部